(57)【要約】【課題】広範かつ多数の消費者に最新の情報を搭載した販促チラシを迅速に提供し、消費者に適正な情報を開示してその消費行動の利便性を高めるとともに、商品提供者側には商圏の拡大に即した低廉なコストによるチラシ配布を可能にするとともに消費動向に応じた商品提供を可能にして商機の迅速な確保を実現する。【解決手段】  サーバーコンピュータとこのサーバーコンピュータと通信線を介してネットワークを形成する多数の携帯端末とからなり、内容が随時更新される販促チラシを前記携帯端末に送信する販促チラシ配信構造であって、前記サーバーコンピュータは受信・保存したデータにしたがって所定の様式からなる販促チラシを作成する手段と、さらに作成・送信された前記販促チラシを受信・保存した更新データにしたがって更新する手段とを具え、常に最新のデータによる販促チラシを前記携帯端末で受信可能にした販促チラシ配信構造の提供により上記課題を解決する。【選択図】  図１
2006209726.tif 000002
【特許請求の範囲】
【請求項１】
サーバーコンピュータとこのサーバーコンピュータと通信線を介してネットワークを形成する多数の携帯端末とからなり、内容が随時更新される販促チラシを前記携帯端末に送信する販促チラシ配信構造であって、前記サーバーコンピュータは受信・保存したデータにしたがって所定の様式からなる販促チラシを作成する手段と、さらに作成・送信された前記販促チラシを受信・保存した更新データにしたがって更新する手段とを具え、常に最新のデータによる販促チラシを前記携帯端末で受信可能にした販促チラシ配信構造。
【請求項２】
請求項１記載の販促チラシ配信構造において、サーバーコンピュータは宛先が予め入力・保存された前記携帯端末に販促チラシが更新された旨のお知らせ情報を販促チラシのＵＲＬとともに送信する更新告知手段を具えたことを特徴とする販促チラシ配信構造。
【請求項３】
請求項２記載の販促チラシ配信構造において、受信・保存した更新データにしたがって更新する手段は、前記携帯端末に呼び出した更新フォームに基づいて入力された更新情報をサーバーコンピュータに格納されたチラシ更新プログラムにより受信処理して販促チラシを更新するとともに前記更新告知手段を動作させて販促チラシが更新された旨のお知らせ情報を販促チラシのＵＲＬとともに携帯端末に送信するようにしたことを特徴とする販促チラシ配信構造。
【発明の詳細な説明】
【技術分野】
【０００１】
本願発明は、販促チラシの配信構造に関し、詳しくは時宜に即した常に最新の商品、サービスの提供を迅速かつ広く需要者に知らしめて購買モチベーションの活性化を容易にするチラシ頒布構造に関するものである。    
【背景技術】
【０００２】
いわゆる販促用のチラシは提供される商品、サービス内容の情報伝達手段として従から盛んに用いられている。  従来のチラシの多くはスーパー、デパートその他の商品提供者の商圏範囲に印刷物を新聞折り込みあるいは郵便受けへの投げ込みあるいはダイレクトメール等によりなされている。このようなチラシはともすると軽視されがちであるが、実際の生活では多くの消費者はこのようなチラシ情報により消費動向を左右されており、チラシは商業活動に不可欠のものとなっている。
しかしながら、電子情報化の時代を迎えて商圏は拡大し、その勢いは宅配便等の物流の高度の発達によりさらに広がりを見せているのが現状である。このような状況において、商品情報等の伝達手段としてのチラシも、商圏の拡大、最新の商品情報の迅速な提供の必要性といった状況に対応し、消費者のニーズに応えていく必要性に迫られている。  しかしながら、従来の印刷物を主体にしたチラシのみでは万全の対応が難しくみすみす商機を逸することも少なくない。
なお、本願発明と関連する技術が次の文献において開示されている。
【特許文献１】実用新案登録第３０８９１２１号公報
【発明の開示】
【発明が解決しようとする課題】
【０００３】
本願発明の目的ないし課題は、広範かつ多数の消費者に最新の情報を搭載した販促チラシを迅速に提供し、消費者に適正な情報を開示してその消費行動の利便性を高めるとともに、商品提供者側には商圏の拡大に即した低廉なコストによるチラシ配布を可能にするとともに消費動向に応じた商品提供を可能にして商機の迅速な確保の実現にある。
【課題を解決するための手段】
【０００４】
本願発明は、サーバーコンピュータとこのサーバーコンピュータと通信線を介してネッ
トワークを形成する多数の携帯端末とからなり、内容が随時更新される販促チラシを前記携帯端末に送信する販促チラシ配信構造であって、前記サーバーコンピュータは受信・保存したデータにしたがって所定の様式からなる販促チラシを作成する手段と、さらに作成・送信された前記販促チラシを受信・保存した更新データにしたがって更新する手段とを具え、常に最新のデータによる販促チラシを前記携帯端末で受信可能にした販促チラシ配信構造を提供して上記従来の課題を解決しようとするものである。
【０００５】
また、上記の販促チラシ配信構造において、サーバーコンピュータは宛先が予め入力・保存された前記携帯端末に販促チラシが更新された旨のお知らせ情報を販促チラシのＵＲＬとともに送信する更新告知手段を具えて構成することがある。
【０００６】
さらに、上記の販促チラシ配信構造において、受信・保存した更新データにしたがって
更新する手段は、前記携帯端末に呼び出した更新フォームに基づいて入力された更新情報をサーバーコンピュータに格納されたチラシ更新プログラムにより受信処理して販促チラシを更新するとともに前記更新告知手段を動作させて販促チラシが更新された旨のお知らせ情報を販促チラシのＵＲＬとともに携帯端末に送信するように構成することがある。
【発明の効果】
【０００７】
本願発明は以下のような効果を奏する。
（１）  広範囲の消費者に低コストでチラシを配布することが容易であり、チラシ配布の高密度化により商圏の飛躍的な拡大が可能となる。
（２）  チラシ内容を迅速簡便に更新することができ、顧客に常に最新の購買情報を提供できる。
（３）  顧客は、チラシ内容を随時閲覧して必要な商品情報等を入手できる。
（４）  所定の条件を整えることで顧客はチラシ内容の更新通知を受けて新しい情報内容に接することができる。
【発明を実施するための最良の形態】
【０００８】
本願発明に係る販促チラシ配信構造は、携帯電話等の無線ネットワークに連結して構築される。販促チラシ構造の運営者はサーバーコンピュータ上で商店、スーパーその他の事業者に、所定形式の電子チラシを提供し事業者は必要に応じて単数または複数のチラシを購入してこれらのチラシに販売しようとする商品、役務その他の情報を記載する。
【０００９】
また、チラシはサーバーコンピュータのデータベースに取り込まれる資料によりその内容が構成される。資料は、事業者が携帯端末によりネットワークを介して提供される。すなわち、資料はメールで送信される画像、テキスト類からなっている。  運営者側は送信された前記資料類により予め形成された所定のチラシフォームに資料内容を書き込むことによりチラシを作成しこれをネットワーク上に送信可能に設定する。
【００１０】
顧客は運営者又は事業者にメールアドレスを提供し顧客登録をすることで、事業者を閲覧する際の手助けをする顧客個別のＵＲＬを獲得できる。
顧客のチラシへのアクセスは、運営者及び事業者が提供するホームページのリンクを介して可能であるが、予め顧客登録をなした顧客に送られるチラシ更新のお知らせに上に開示されるＵＲＬを介してなされることもある。
【００１１】
チラシの内容の更新は、事業者からサーバーコンピュータのデータベースに送信される更新資料に基づいて運営者側がなすこともできるが、事業者側も更新フォームにアクセスして直接チラシ内容を更新できる。
【００１２】
チラシ内容が更新されると、この更新がなされた旨がお知らせとして所定の顧客の携帯端末に送信される。顧客はこのお知らせメールから更新されたチラシを開くことができる。
ここで、所定の顧客とは運営者又は事業者の顧客リストに登録された顧客を意味し、この登録は顧客自身がネット上の事業者のホームページ上で実行する。この登録により事業者は顧客の囲い込みが容易になり固定客層の増大を期待できる。
【００１３】
チラシのネット上への開放は、運営者のサーバによって行われるが、このために事業者と運営者とは予め所定の内容の契約を交わすことになる。この契約の申し込みと受諾は運営者のホームページ上でネットワークを介してなされるオンライン契約と、ネットワークを介さないでなされるオフライン契約がある。運営者側はオンライン、オフラインを問わず本願に関わるチラシシステムへの参加の申し込みを誘引し、事業者はこれに賛同して申し込み、この申し込みに対して運営者が承諾することによりシステム利用の契約が成立する。
この契約内容の実行は運営者がネットワークを介して提示するホームページに、契約成立した事業者であると特定できる情報を送信することによってなされる。
【００１４】
チラシのネット上における開放期間は契約に定められた期間でこれを経過するとチラシの公開は自動的に停止される。
【００１５】
事業者はチラシへのアクセスを容易にするため多くの機会を利用してＱＲコードの周知を図り集客効率の向上を図る。
【実施例】
【００１６】
次に、図面により本願発明の１実施例を説明する。  図１は、本願に係るチラシ配信構造の概念構成を示すブロック図である。
チラシ配信構造１は、サーバーコンピュータ２とこのサーバーコンピュータ２と通信線を介してネットワークを形成する多数の携帯端末としての携帯電話３とからなり、内容が随時更新される販促チラシを前記携帯電話３の表示画面に送信するようになっている。
前記サーバーコンピュータ２は受信・保存したデータにしたがって所定の様式からなる販促チラシを作成する手段としての販促チラシ作成プログラム２１と、さらに作成・送信された前記販促チラシを受信・保存した更新データにしたがって更新する手段としての販促チラシ更新プログラム２２を具えていて、常に最新のデータによる販促チラシを前記携帯電話３で受信可能になっている。  なお、図において、４はパーソナルコンピュータネットワークであり、このネットワーク４により通常のパソコンにも情報を配布できるようになっている。
【００１７】
そして、上記の販促チラシ配信構造１において、サーバーコンピュータ２は、さらに宛先が予め入力・保存された前記携帯端末に販促チラシが更新された旨のお知らせ情報を販促チラシのＵＲＬとともに送信する更新告知手段としての更新告知プログラム２３を具えている。
【００１８】
さらに、販促チラシ配信構造１は、受信・保存した更新データにしたがって更新する手段としての前記販促チラシ更新プログラム２２は、前記携帯電話３に呼び出した更新フォームに基づいて入力された更新情報をサーバーコンピュータ２に格納された販促チラシ更新プログラム２２により受信処理して販促チラシを更新するとともに更新告知手段としての前記更新告知プログラム２３を動作させて販促チラシが更新された旨のお知らせ情報を販促チラシのＵＲＬとともに携帯電話３に送信するように構成されている。
【００１９】
上記構成に基づいて、この実施例の動作を説明する。このチラシ配信構造１の始動に当たってはまず、チラシ配信構造１の運営者とデパート、スーパー、商店等の事業者との契約によりなされる。この契約内容の実行は運営者が携帯電話３のネットワーク上に公開するホームページに、事業者が事業者であると特定できる情報を送信することによってなされる。
【００２０】
契約が成立すると、事業者側は携帯電話３により画像、テキスト等からなるチラシの資料を送信し、この資料に基づき販促チラシ作成プログラム２１により所定フォームの販促チラシが作成される。この販促チラシはネットワーク上に公開され、携帯電話ネットワークからも、またパソコンのネットワークからもＵＲＬの入力によりアクセスすることができる。
【００２１】
販促チラシを閲覧するためのＵＲＬは契約に伴い形成される事業者のトップページ上から得ることもできる。さらに、チラシへのアクセスは事業者が印刷物、名刺その他種々の手段で配布されるＱＲコードにより簡便になされることがある。
【００２２】
顧客が運営者又は事業者のリストにメールアドレスを登録した場合、顧客に事情者のホームページのアクセスを補助する為の個別のＵＲＬが提供される。顧客はそのＵＲＬにアクセスすることにより、複数の事業者を登録してアクセスする際の補助となるブックマーク機能の利用ができる。
顧客個別のＵＲＬで提供されるページのブックマークに事業者の登録をした場合、顧客の事業者への情報取得意思を認め、チラシの更新情報が更新に従い随時提供される。更新情報の提供は顧客のホームページアドレス上での閲覧とお知らせメールの送信の二つの形で実現され、顧客はその更新情報からチラシ画面にアクセスする事ができる。
【００２３】
チラシの更新は、事業者からサーバーコンピュータ２に送信される資料により実行されるが、事業者自身も更新フォームを呼び出して自身で直接チラシ内容を更新することもできる。
【図面の簡単な説明】
【００２４】
【図１】本願発明の１実施例に係る販促チラシ配信構造の構成を示すブロック図である。
【符号の説明】
【００２５】
１．．．．．．．販促チラシ配信構造
２．．．．．．．サーバーコンピュータ
３．．．．．．．携帯電話（とそのネットワーク）
４．．．．．．．ＰＣネットワーク
２１．．．．．．販促チラシ作成プログラム
２２．．．．．．販促チラシ更新プログラム
２３．．．．．．更新告知プログラム
【図１】
2006209726.tif 000003